(57)【要約】【課題】ハードディスクレコーダにおいて、ＨＤＤに録画された同じタイトルのＴＶ番組を記録媒体にダビングする場合に、ユーザが、同じタイトルのＴＶ番組を記録媒体にダビングする手間と、ダビングしたＴＶ番組をＨＤＤから削除する手間を軽減する。【解決手段】制御用マイコンは、ユーザにより選択されたＴＶ番組と同じタイトルのＴＶ番組を録画番組リストから抽出し（Ｓ３）、抽出されたＴＶ番組のダビングを実行する（Ｓ６）。そして、同じタイトルのＴＶ番組を全てダビングした場合（Ｓ７でＹＥＳ）、制御用マイコンは、ダビングしたＴＶ番組の属性を読み取り、属性がコピーワンス属性の場合（Ｓ１２でＹＥＳ）、ＨＤＤからこのＴＶ番組を削除する。コピーワンス属性でない場合でも（Ｓ１２でＮＯ）、ユーザが削除を選択した場合（Ｓ１５でＹＥＳ）、ＴＶ番組を削除する。【選択図】図４
2007288557.tif 000002
【特許請求の範囲】
【請求項１】
テレビジョン（以下、ＴＶという）番組等の表示が可能であるモニタ装置にケーブルを介して接続され、
前記ＴＶ番組を録画するためのハードディスクと、
前記ＴＶ番組等のデータの記録が可能なＤＶＤ（Ｄｉｇｉｔａｌ  ＶｅｒｓａｔｉｌｅＤｉｓｃ）を装着する装着部と、
前記装着部に装着された前記ＤＶＤにデータの記録を行う書き込み手段と、
前記装着部に装着された前記ＤＶＤに、前記ハードディスクに録画された前記ＴＶ番組のコピーの記録（以下、ダビングという）を行うダビング手段と、
前記ハードディスクに録画された前記ＴＶ番組を該ハードディスクから削除する削除手段と、
装置各部を制御する制御手段とを備えたハードディスクレコーダにおいて、
前記ハードディスクに録画された前記ＴＶ番組の一覧を示す録画番組リストから同じタイトルのＴＶ番組を抽出するＴＶ番組抽出手段と、
前記ＴＶ番組抽出手段により抽出された前記ＴＶ番組を記録するために必要な前記ＤＶＤの枚数を算出する枚数算出手段と、
前記ＴＶ番組の属性がコピーワンス属性であるか否かを読み取る属性読み取り手段とをさらに備え、
前記制御手段は、
ユーザにより前記ＤＶＤにダビングしたい前記ＴＶ番組が前記録画番組リストから選択されると、前記ＴＶ番組抽出手段を用いて、ユーザにより選択された前記ＴＶ番組と同じタイトルの前記ＴＶ番組を前記録画番組リストから抽出し、
前記枚数算出手段を用いて、前記ＴＶ番組抽出手段により抽出された前記ＴＶ番組を記録するために必要な前記ＤＶＤの枚数を算出して、前記モニタ装置に表示し、
ユーザが算出された枚数の前記ＤＶＤを前記装着部にセットし、前記制御手段が前記ダビング手段を用いて前記書き込み手段により、前記ＴＶ番組抽出手段により抽出された前記ＴＶ番組を該ＤＶＤにダビングした後、
前記制御手段は、前記属性読み取り手段を用いて、前記ＤＶＤにダビングされた前記ＴＶ番組の属性を読み取り、読み取った結果、該ＴＶ番組の属性がコピーワンス属性の場合には、前記削除手段を用いて、前記ハードディスクから該ＴＶ番組を削除し、
読み取った結果、前記ＴＶ番組の属性がコピーワンス属性でない場合には、制御手段は、前記ＤＶＤにダビングされた前記ＴＶ番組を削除するか否かの選択を促すメッセージを前記モニタ装置に表示し、ユーザにより該ＴＶ番組の削除が選択されたとき、前記削除手段を用いて前記ハードディスクから該ＴＶ番組を削除することを特徴とするハードディスクレコーダ。
【請求項２】
テレビジョン（以下、ＴＶという）番組等の表示が可能であるモニタ装置にケーブルを介して接続され、
前記ＴＶ番組を録画するためのハードディスクと、
前記ＴＶ番組等のデータの記録が可能な記録媒体を装着する装着部と、
前記装着部に装着された前記記録媒体にデータの記録を行う書き込み手段と、
前記装着部に装着された前記記録媒体に、前記ハードディスクに録画された前記ＴＶ番組のコピーの記録（以下、ダビングという）を行うダビング手段と、
前記ハードディスクに録画された前記ＴＶ番組を該ハードディスクから削除する削除手段と、
装置各部を制御する制御手段とを備えたハードディスクレコーダにおいて、
前記ハードディスクに録画された前記ＴＶ番組の一覧を示す録画番組リストから同じタイトルのＴＶ番組を抽出するＴＶ番組抽出手段をさらに備え、
前記制御手段は、
ユーザにより前記記録媒体にダビングしたい前記ＴＶ番組が前記録画番組リストから選択されると、前記ＴＶ番組抽出手段を用いて、ユーザにより選択された前記ＴＶ番組と同じタイトルの前記ＴＶ番組を前記録画番組リストから抽出し、
前記制御手段は、前記ダビング手段を用いて前記書き込み手段により、前記ＴＶ番組抽出手段により抽出された前記ＴＶ番組を前記記録媒体にダビングした後、前記記録媒体にダビングされた前記ＴＶ番組を前記削除手段を用いて前記ハードディスクから削除することを特徴とするハードディスクレコーダ。
【請求項３】
前記ＴＶ番組抽出手段により抽出された前記ＴＶ番組を記録するために必要な前記記録媒体の枚数を算出する枚数算出手段をさらに備え、
前記制御手段は、
ユーザにより前記記録媒体にダビングしたい前記ＴＶ番組が前記録画番組リストから選択されると、前記ＴＶ番組抽出手段を用いて、ユーザにより選択された前記ＴＶ番組と同じタイトルの前記ＴＶ番組を前記録画番組リストから抽出した後、
前記枚数算出手段を用いて、前記ＴＶ番組抽出手段により抽出された前記ＴＶ番組を記録するのに必要な前記記録媒体の枚数を算出して前記モニタ装置に表示することを特徴とする請求項２に記載のハードディスクレコーダ。
【発明の詳細な説明】
【技術分野】
【０００１】
本発明は、ハードディスクレコーダに関し、特に記録媒体へのダビング技術に関する。
【背景技術】
【０００２】
従来から、テレビジョン（以下、ＴＶという）番組を録画するためのハードディスク（以下、ＨＤＤという）と、ＤＶＤ−Ｒ（Ｄｉｇｉｔａｌ  Ｖｅｒｓａｔｉｌｅ  Ｄｉｓｃ−Ｒｅｃｏｒｄａｂｌｅ）等の記録媒体にデータの記録を行うことができる装着部とを備え、ＨＤＤに録画されたＴＶ番組のコピーをＤＶＤ−Ｒ等に記録（以下、ダビングという）することができるハードディスクレコーダが知られている。ユーザは、この種のハードディスクレコーダを用いてＴＶ番組をＤＶＤ−Ｒ等にダビングするとき、同じタイトルのＴＶ番組を続けてダビングすることがある。具体的には、例えば、タイトルが「連続ドラマＡ」であるＴＶ番組の第１話から第１０話までを続けてＤＶＤ−Ｒにダビングすることである。
【０００３】
従来のハードディスクレコーダを用いてＨＤＤに録画された同じタイトルのＴＶ番組をＤＶＤ−Ｒにダビングする際の処理手順の例を図６に示す。まず、ユーザがＨＤＤに録画されたＴＶ番組の一覧を示す録画番組リストをテレビ等に表示し（Ｓ１０１）、ハードディスクレコーダの装着部にＴＶ番組をダビングするためのＤＶＤ−Ｒをセットした後（Ｓ１０２）、ＤＶＤ−ＲにダビングしたいＴＶ番組、例えばタイトルが「連続ドラマＡ」の第１話を録画番組リストから選択する（Ｓ１０３）。そして、ハードディスクレコーダが、ＤＶＤ−Ｒの記録可能容量と、ユーザにより選択されているＴＶ番組のデータ容量とを比較し、この結果、ＤＶＤ−ＲにさらにＴＶ番組をダビングすることができる場合（Ｓ１０４でＹＥＳ）、上記Ｓ１０３の処理を繰り返す（例えば、ユーザが「連続ドラマＡ」の第２話を選択する）。一方、ＤＶＤ−ＲにさらにＴＶ番組をダビングすることができない場合（Ｓ１０４でＮＯ）、ハードディスクレコーダはダビングを実行する（Ｓ１０５）。
【０００４】
ユーザが同じタイトルのＴＶ番組の全てをダビングした場合（Ｓ１０６でＹＥＳ）、ユーザは、ＨＤＤに録画されたＴＶ番組のうちダビングしたＴＶ番組を選択し（Ｓ１０７）、ハードディスクレコーダがユーザにより選択されたＴＶ番組をＨＤＤから削除する（Ｓ１０８）。一方、ユーザが同じタイトルのＴＶ番組の全てをダビングしていない場合（Ｓ１０６でＮＯ）、上記Ｓ１０２以降の処理を繰り返す。
【０００５】
上述したように、従来のハードディスクレコーダでは、同じタイトルのＴＶ番組をＤＶＤ−Ｒ等にダビングを行った後、ダビングしたＴＶ番組をＨＤＤから削除する場合、ユーザが録画番組リストから同じタイトルのＴＶ番組を削除するためにＴＶ番組を選択する処理を繰り返した後、ダビングしたＴＶ番組をＨＤＤから削除する操作を行う必要があるためユーザにとって手間がかかるという問題がある。
【０００６】
これに対して、特許文献１の発明は、ＨＤＤに録画された複数の同タイトルのＴＶ番組のうち、同タイトルのＴＶ番組の総データ量が、ＤＶＤに記録可能なデータ量を超えていない場合、ＨＤＤから上記同タイトルのＴＶ番組を読み出してＤＶＤにダビングすることにより、ＤＶＤに効率よくＴＶ番組をダビングできるハードディスクレコーダである。
【０００７】
また、特許文献２の発明は、ＴＶ番組を録画することができるＨＤＤと、ＤＶＤにダビングを行うことができるダビング部とを備え、ＣＭスキップ等の録画条件が付された録画予約を行うことによりＨＤＤにＴＶ番組を録画した後、このＴＶ番組をＤＶＤにダビングするときに、録画予約時の条件を適用してＤＶＤにＴＶ番組のダビングを行うハードディスクレコーダである。
【０００８】
また、特許文献３の発明は、ＨＤＤの記録領域を、ＤＶＤなどの光ディスクの最大記録容量である４．７ＧＢの単位で複数の分割領域に予め区分けし、各分割領域を超えない情報を記録することにより、各分割領域の情報をＤＶＤへそのままダビングするハードディスクレコーダである。
【０００９】
しかし、上記特許文献１乃至特許文献３に記載された発明では、ユーザは、同じタイトルのＴＶ番組をＤＶＤ−Ｒ等にダビングする際の手間を軽減することができると共に、このダビングの後に、ダビングしたＴＶ番組をＨＤＤから削除する操作を行う手間を軽減することができない。
【特許文献１】特開２００６−５６３２号公報
【特許文献２】特開２００５−３４７８２５号公報
【特許文献３】実用新案登録第３０９７９８８号
【発明の開示】
【発明が解決しようとする課題】
【００１０】
本発明は、上述した問題点を解決するためになされたものであり、ＨＤＤに録画された同タイトルのＴＶ番組を記録媒体にダビングする場合に、ユーザが、同じタイトルのＴＶ番組を記録媒体にダビングする際の手間を軽減することができると共に、このダビングの後に、ダビングしたＴＶ番組をＨＤＤから削除する操作を行う手間を軽減することができるハードディスクレコーダを提供することを目的とする。
【課題を解決するための手段】
【００１１】
上記目的を達成するために請求項１の発明は、テレビジョン（以下、ＴＶという）番組等の表示が可能であるモニタ装置にケーブルを介して接続され、前記ＴＶ番組を録画するためのハードディスクと、前記ＴＶ番組等のデータの記録が可能なＤＶＤ（Ｄｉｇｉｔａｌ  ＶｅｒｓａｔｉｌｅＤｉｓｃ）を装着する装着部と、前記装着部に装着された前記ＤＶＤにデータの記録を行う書き込み手段と、前記装着部に装着された前記ＤＶＤに、前記ハードディスクに録画された前記ＴＶ番組のコピーの記録（以下、ダビングという）を行うダビング手段と、前記ハードディスクに録画された前記ＴＶ番組を該ハードディスクから削除する削除手段と、装置各部を制御する制御手段とを備えたハードディスクレコーダにおいて、前記ハードディスクに録画された前記ＴＶ番組の一覧を示す録画番組リストから同じタイトルのＴＶ番組を抽出するＴＶ番組抽出手段と、前記ＴＶ番組抽出手段により抽出された前記ＴＶ番組を記録するために必要な前記ＤＶＤの枚数を算出する枚数算出手段と、前記ＴＶ番組の属性がコピーワンス属性であるか否かを読み取る属性読み取り手段とをさらに備え、前記制御手段は、ユーザにより前記ＤＶＤにダビングしたい前記ＴＶ番組が前記録画番組リストから選択されると、前記ＴＶ番組抽出手段を用いて、ユーザにより選択された前記ＴＶ番組と同じタイトルの前記ＴＶ番組を前記録画番組リストから抽出し、前記枚数算出手段を用いて、前記ＴＶ番組抽出手段により抽出された前記ＴＶ番組を記録するために必要な前記ＤＶＤの枚数を算出して、前記モニタ装置に表示し、ユーザが算出された枚数の前記ＤＶＤを前記装着部にセットし、前記制御手段が前記ダビング手段を用いて前記書き込み手段により、前記ＴＶ番組抽出手段により抽出された前記ＴＶ番組を該ＤＶＤにダビングした後、前記制御手段は、前記属性読み取り手段を用いて、前記ＤＶＤにダビングされた前記ＴＶ番組の属性を読み取り、読み取った結果、該ＴＶ番組の属性がコピーワンス属性の場合には、前記削除手段を用いて、前記ハードディスクから該ＴＶ番組を削除し、読み取った結果、前記ＴＶ番組の属性がコピーワンス属性でない場合には、制御手段は、前記ＤＶＤにダビングされた前記ＴＶ番組を削除するか否かの選択を促すメッセージを前記モニタ装置に表示し、ユーザにより該ＴＶ番組の削除が選択されたとき、前記削除手段を用いて前記ハードディスクから該ＴＶ番組を削除するものである。
【００１２】
請求項２に記載の発明は、テレビジョン（以下、ＴＶという）番組等の表示が可能であるモニタ装置にケーブルを介して接続され、前記ＴＶ番組を録画するためのハードディスクと、前記ＴＶ番組等のデータの記録が可能な記録媒体を装着する装着部と、前記装着部に装着された前記記録媒体にデータの記録を行う書き込み手段と、前記装着部に装着された前記記録媒体に、前記ハードディスクに録画された前記ＴＶ番組のコピーの記録（以下、ダビングという）を行うダビング手段と、前記ハードディスクに録画された前記ＴＶ番組を該ハードディスクから削除する削除手段と、装置各部を制御する制御手段とを備えたハードディスクレコーダにおいて、前記ハードディスクに録画された前記ＴＶ番組の一覧を示す録画番組リストから同じタイトルのＴＶ番組を抽出するＴＶ番組抽出手段をさらに備え、前記制御手段は、ユーザにより前記記録媒体にダビングしたい前記ＴＶ番組が前記録画番組リストから選択されると、前記ＴＶ番組抽出手段を用いて、ユーザにより選択された前記ＴＶ番組と同じタイトルの前記ＴＶ番組を前記録画番組リストから抽出し、前記制御手段は、前記ダビング手段を用いて前記書き込み手段により、前記ＴＶ番組抽出手段により抽出された前記ＴＶ番組を前記記録媒体にダビングした後、前記記録媒体にダビングされた前記ＴＶ番組を前記削除手段を用いて前記ハードディスクから削除するものである。
【００１３】
請求項３に記載の発明は、請求項２に記載のハードディスクレコーダにおいて、前記ＴＶ番組抽出手段により抽出された前記ＴＶ番組を記録するために必要な前記記録媒体の枚数を算出する枚数算出手段をさらに備え、前記制御手段は、ユーザにより前記記録媒体にダビングしたい前記ＴＶ番組が前記録画番組リストから選択されると、前記ＴＶ番組抽出手段を用いて、ユーザにより選択された前記ＴＶ番組と同じタイトルの前記ＴＶ番組を前記録画番組リストから抽出した後、前記枚数算出手段を用いて、前記ＴＶ番組抽出手段により抽出された前記ＴＶ番組を記録するのに必要な前記記録媒体の枚数を算出して前記モニタ装置に表示するものである。
【発明の効果】
【００１４】
請求項１に記載の発明によれば、ユーザにより録画番組リストからＤＶＤにダビングしたいＴＶ番組が選択されると、ユーザにより選択されたＴＶ番組と同じタイトルのＴＶ番組を録画番組リストから抽出し、抽出されたＴＶ番組をＤＶＤにダビングした後、ＤＶＤにダビングされたＴＶ番組の属性を読み取り、読み取った結果、このＴＶ番組の属性がコピーワンス属性の場合には、ハードディスクからこのＴＶ番組を削除する。また、ＴＶ番組の属性がコピーワンス属性でない場合でも、ユーザによりＴＶ番組の削除が選択されたときは、ハードディスクからこのＴＶ番組を削除する。これにより、ハードディスクに録画された同じタイトルのＴＶ番組をＤＶＤにダビングする場合に、ユーザが、同じタイトルのＴＶ番組をＤＶＤにダビングする際の手間を軽減することができると共に、このダビングの後に、ダビングしたＴＶ番組をハードディスクから削除する操作を行う手間を軽減することができる。また、ダビングのために抽出されたＴＶ番組を記録するのに必要な記録媒体の枚数をモニタ装置に表示するので、ユーザは、ダビングに必要な記録媒体の枚数を容易に知ることができる。
【００１５】
請求項２に記載の発明によれば、ユーザにより録画番組リストから記録媒体にダビングしたいＴＶ番組が選択されると、ユーザにより選択されたＴＶ番組と同じタイトルのＴＶ番組を録画番組リストから抽出し、抽出されたＴＶ番組を記録媒体にダビングした後、記録媒体にダビングされたＴＶ番組をハードディスクから削除する。これにより、ハードディスクに録画された同じタイトルのＴＶ番組を記録媒体にダビングする場合に、ユーザが、同じタイトルのＴＶ番組を記録媒体にダビングする際の手間を軽減することができると共に、このダビングの後に、ダビングしたＴＶ番組をハードディスクから削除する操作を行う手間を軽減することができる。
【００１６】
請求項３に記載の発明によれば、抽出されたＴＶ番組を記録するのに必要な記録媒体の枚数を算出してモニタ装置に表示することができる。これにより、ユーザは、ダビングに必要な記録媒体の枚数を容易に知ることができる。
【発明を実施するための最良の形態】
【００１７】
以下、本発明に係る一実施形態について、図１及び図２を参照して説明する。図１は、テレビジョン（以下、ＴＶという）番組等の表示が可能であるテレビ３（モニタ装置）と、このテレビ３に伝送ケーブル２（ケーブル）を介して接続されたハードディスクレコーダ１とを含むシステムを示し、図２は、ハードディスクレコーダ１の内部構造を示す。ハードディスクレコーダ１は、ユーザがＴＶ番組の選択などの操作を行うためのボタン等を有するリモコン４によって操作される。テレビ３は、ハードディスクレコーダ１から出力されたＴＶ番組を受信し、受信したＴＶ番組に基づいて再生された映像等を表示するディスプレイ３１と、受信したＴＶ番組に基づいて再生された音声を出力するスピーカ３２とを備える。
【００１８】
ハードディスクレコーダ１は、アンテナ６を介してＴＶ番組を受信するチューナ１４と、ＴＶ番組等のデータの記録が可能なＤＶＤ−Ｒ５（Ｄｉｇｉｔａｌ  Ｖｅｒｓａｔｉｌｅ  Ｄｉｓｃ−Ｒｅｃｏｒｄａｂｌｅ；請求項に示したＤＶＤ、及び記録媒体）を装着する装着部１１と、ＴＶ番組を録画するためのハードディスク１６（以下、ＨＤＤという）と、伝送ケーブル２（ケーブル）にＴＶ番組のデータを出力する出力部１５と、装置各部を制御する制御用マイコン１８（制御手段）とを備える。
【００１９】
また、ハードディスクレコーダ１は、制御用マイコン１８の動作プログラムを格納するＲＯＭ１９と、リモコン４から送信された信号を受光し、制御用マイコン１８へ出力するリモコン信号受信部１７と、装着部１１に装着されたＤＶＤ−Ｒ５からデータの読み込みを行う読み取り部１２と、装着部１１に装着されたＤＶＤ−Ｒ５にデータの記録を行う書き込み部１３（書き込み手段）とをさらに備える。
【００２０】
制御用マイコン１８は、装着部１１に装着されたＤＶＤ−Ｒ５に、ＨＤＤ１６に録画されたＴＶ番組のコピーの記録（以下、ダビングという）を行うダビング手段と、ＨＤＤ１６に録画されたＴＶ番組をＨＤＤ１６から削除する削除手段と、ＨＤＤ１６に録画されたＴＶ番組の一覧を示す録画番組リストを作成する録画番組リスト生成手段として機能する。また、制御用マイコン１８は、録画番組リスト生成手段により生成された録画番組リストから同じタイトルのＴＶ番組を抽出するＴＶ番組抽出手段と、ＴＶ番組抽出手段により抽出されたＴＶ番組を記録するために必要なＤＶＤ−Ｒ５の枚数を算出する枚数算出手段と、ＴＶ番組の属性が、一回だけコピーを可能にしたコピーワンス（ｃｏｐｙ  ｏｎｃｅ）属性であるか否かを読み取る属性読み取り手段としてさらに機能する。
【００２１】
次に、制御用マイコン１８により生成される録画番組リストについて、図３を参照して説明する。図３は、録画番組リスト７の一例を示す。図３に示すように、録画番組リスト７は、ナンバー（Ｎｏ．）７１、タイトル７２、録画日時７３、データサイズ７４、及びその他情報７５を有するものである。
【００２２】
次に、ＨＤＤ１６に録画された同じタイトルのＴＶ番組をＤＶＤ−Ｒ５にダビングする際の処理について、図４を参照して説明する。まず、ユーザが録画番組リストを表示するようにリモコン４を操作すると、制御用マイコン１８がテレビ３に録画番組リストを表示し（Ｓ１）、ユーザがリモコン４を操作することによりダビングしたいＴＶ番組を選択すると（Ｓ２）、制御用マイコン１８は、選択されたＴＶ番組と同じタイトルのＴＶ番組を録画番組リストから抽出し（Ｓ３）、上記Ｓ３により抽出されたＴＶ番組のデータサイズの合計からダビングに必要なＤＶＤ−Ｒ５の枚数を算出し（Ｓ４）、ＤＶＤ−Ｒ５の枚数をテレビ３に表示する。
【００２３】
ユーザがＤＶＤ−Ｒ５を装着部１１セットすると（Ｓ５）、制御用マイコン１８が装着部１１にセットされたＤＶＤ−Ｒ５にＴＶ番組のダビングを実行する（Ｓ６）。そして、装着部１１にセットされたＤＶＤ−Ｒ５に同じタイトルのＴＶ番組を全てダビングした場合（Ｓ７でＹＥＳ）、制御用マイコン１８はＴＶ番組の削除処理を行い（Ｓ８）、処理を終了する。一方、同じタイトルのＴＶ番組を全てダビングできない場合（Ｓ７でＮＯ）、上記Ｓ５以降の処理を繰り返す。なお、上記Ｓ８の処理の詳細は後述する。
【００２４】
次に、前出の図４に示したＴＶ番組データの削除処理について、図５を参照して説明する。まず、制御用マイコン１８は、ＤＶＤ−Ｒ５にダビングされたＴＶ番組の属性を読み取り（Ｓ１１）、この結果、読み取った属性がコピーワンス属性の場合（Ｓ１２でＹＥＳ）、ＨＤＤ１６からこのＴＶ番組を削除し（Ｓ１３）、ＴＶ番組の削除処理を終了する。
【００２５】
一方、読み取った属性がコピーワンスでない場合（Ｓ１２でＮＯ）、制御用マイコン１８はＤＶＤ−Ｒ５にダビングされたＴＶ番組を削除するか否かの選択を促すメッセージをテレビ３に表示する（Ｓ１４）。ユーザがこのＴＶ番組を削除することを選択した場合（Ｓ１５でＹＥＳ）、制御用マイコン１８は上記Ｓ１３と同様の処理を行い、ＴＶ番組の削除処理を終了する。一方、ユーザがＴＶ番組を削除することを選択しなかった場合（Ｓ１５でＮＯ）、制御用マイコン１８は上記Ｓ１３の処理を行わないでＴＶ番組の削除処理を終了する。
【００２６】
上記のように、本実施形態に係るハードディスクレコーダ１によれば、制御用マイコン１８は、ユーザにより録画番組リストからＤＶＤにダビングしたいＴＶ番組が選択されると、ユーザにより選択されたＴＶ番組と同じタイトルのＴＶ番組を録画番組リストから抽出し、抽出されたＴＶ番組をＤＶＤ−Ｒ５にダビングした後、ＤＶＤ−Ｒ５にダビングされたＴＶ番組の属性を読み取り、この結果、読み取った属性がコピーワンス属性の場合、ＨＤＤ１６からこのＴＶ番組を削除する。また、読み取った属性がコピーワンス属性でない場合でも、ユーザがダビングしたＴＶ番組を削除することを選択した場合には、ＨＤＤ１６からこのＴＶ番組を削除する。そのため、ＨＤＤ１６に録画された同じタイトルのＴＶ番組をＤＶＤ−Ｒ５にダビングする場合に、ユーザが、同じタイトルのＴＶ番組をＤＶＤ−Ｒ５にダビングする際の手間を軽減することができると共に、このダビングの後に、ダビングしたＴＶ番組をＨＤＤ１６から削除する操作を行う手間を軽減することができる。
【００２７】
また、ＤＶＤ−Ｒ５にダビングされたＴＶ番組の属性がコピーワンス属性の場合、制御用マイコン１８はＨＤＤ１６からこのＴＶ番組を削除する。そのため、ユーザが特別な操作を行うことなしにコピーワンス属性のＴＶ番組をＨＤＤ１６から削除することができる。また、上記のように、ダビング後のＴＶ番組をＨＤＤ１６から容易に削除できるようにしたことにより、ＨＤＤ１６の空き容量が不足する頻度を減らすことができ、また、ＴＶ番組の予約録画時にＨＤＤ１６に空き容量が不足することによる録画の失敗の頻度を減らすことができる。
【００２８】
なお、本発明は、上記実施形態の構成に限られず、発明の趣旨を変更しない範囲で種々の変形が可能である。例えば、上記実施形態では、装着部１１に装着する記録媒体としてＤＶＤ−Ｒ５を示したが、これに限られず、ＤＶＤ−ＲＷ（Ｄｉｇｉｔａｌ  Ｖｅｒｓａｔｉｌｅ  Ｄｉｓｃ−ＲｅＷｒｉｔａｂｌｅ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−ＲｅＷｒｉｔａｂｌｅ）などの記録媒体を用いてもよい。また、上記実施形態では、ダビングしたＴＶ番組の属性がコピーワンスの場合、制御用マイコンが、ダビングしたＴＶ番組をＨＤＤから削除する処理を行うが、これに限られず、ユーザが任意に指定した属性に応じて、制御用マイコンが、任意の処理を行うものであってよい。
【図面の簡単な説明】
【００２９】
【図１】本発明の一実施形態に係るハードディスクレコーダと、このハードディスクレコーダに接続されたテレビとの外観を示す傾斜図。
【図２】上記ハードディスクレコーダの内部構成を示すブロック図。
【図３】上記ハードディスクレコーダの制御用マイコンが生成する録画番組リストの例を示す図。
【図４】上記ハードディスクレコーダにおける同じタイトルのＴＶ番組のダビング処理を示すフローチャート。
【図５】図４中のＴＶ番組の削除処理を示すフローチャート。
【図６】従来のハードディスクレコーダにおける同じタイトルのＴＶ番組のダビング処理を示すフローチャート。
【符号の説明】
【００３０】
１  ハードディスクレコーダ
２  伝送ケーブル（ケーブル）
３  テレビ（モニタ装置）
５  ＤＶＤ（記録媒体）
７  録画番組リスト
１１  装着部
１３  書き込み部（書き込み手段）
１６  ＨＤＤ（ハードディスク）
１８  制御用マイコン（制御手段、ダビング手段、削除手段、ＴＶ番組抽出手段、枚数算出手段、属性読み取り手段）
【図１】
2007288557.tif 000003
【図２】
2007288557.tif 000004
【図３】
2007288557.tif 000005
【図４】
2007288557.tif 000006
【図５】
2007288557.tif 000007
【図６】
2007288557.tif 000008